(57)【要約】【課題】穀物等から除去した紐類が再び混入することがなく外部へ簡単に取り出して処理することができるとともに、連続的にかつ確実に穀物等に混入した紐類の除去を行え、作業効率を向上しうる穀物等の紐類除去装置を提供する。【解決手段】穀物等Ｍを流す流路１８を有するダクト１２と、ダクト内流路１８において回転軸３４回りに回転する回転基体１４と、回転基体１４の周方向位置に離隔して取り付けられる複数の紐取り具１６と、を含み、それぞれの紐取り具１６は回転基体１４に対して着脱可能に設けられ、ダクト側壁には外部から紐取り具１６を着脱交換操作するための開口２６が設けられており、それぞれの紐取り具１６を、穀物等Ｍの流れの中に配置させて紐類Ｓｔを捕獲する位置（Ｐ１）と、開口２６近傍に配置させて着脱交換される位置（Ｐ２）と、を通過移動させるように回転基体１４を回転する穀物等中の紐類除去装置１０から構成される。【選択図】図１
2011025161.tif 000002
【特許請求の範囲】
【請求項１】
内部に穀物等を流す流路を有するダクトと、
ダクト内流路においてダクト長手方向に直交する回転軸回りに回転する回転基体と、
回転基体の周方向位置に離隔して取り付けられる複数の紐取り具と、を含み、
それぞれの紐取り具は回転基体に対して着脱可能に設けられ、
ダクト側壁の一つの面の回転基体近傍部分には、外部から紐取り具を着脱交換操作するための開口が設けられており、
それぞれの紐取り具を、穀物等の流れの中に配置させて紐類を捕獲する位置と、開口近傍に配置させて着脱交換される位置と、を通過移動させるように回転基体を回転することを特徴とする穀物等中の紐類除去装置。
【請求項２】
回転基体は、前記開口を介してダクト内から着脱操作されるように設けられた請求項１記載の穀物等中の紐類除去装置。
【請求項３】
回転基体は、回転軸と、回転軸の長手方向両端側に対向して離隔配置され半径方向に突出拡大された２個１対の側端部材と、からなり、
それぞれの紐取り具は、１対の側端部材に跨って回転軸と平行状に架設される中心軸を有し、
複数の紐取り具と回転基体とが籠型構造に組付け構成された請求項１又は２記載の穀物等中の紐類除去装置。
【請求項４】
各側端部材は、複数の紐取り具の取付位置に対応して外側から内側に向けて切り込み凹設され、それぞれの紐取り具の中心軸の端部を嵌合状に受け入れる複数の受凹部と、
受凹部内に紐取り具の中心軸を受け入れた状態でロック・解除可能にロックするロック機構と、を備えた請求項３記載の穀物等中の紐類除去装置。
【請求項５】
ダクトは、開口が形成された側壁が外部側に膨出され、膨出部分の内部に流路に連通する拡張空間が設けられており、
回転基体は流路と拡張空間に跨るように設置されて開口に近接配置され、
開口には開閉蓋が設けられた請求項１ないし４のいずれかに記載の穀物等中の紐類除去装置。
【請求項６】
回転基体を回転軸回りに回転駆動させる駆動機構を含み、
駆動機構は、任意の時間間隔で回転基体を所定角度だけ回転変位させ、その回転変位位置を保持する請求項１ないし５のいずれかに記載の穀物等中の紐類除去装置。
【請求項７】
紐取り具は、中心軸と、
中心軸長手方向に複数配置された枝杆と、
枝杆から突出して設けられて紐類を捕獲する多数の小突起と、を備えた請求項１ないし６のいずれかに記載の穀物等中の紐類除去装置。
【発明の詳細な説明】
【技術分野】
【０００１】
本発明は、穀物やその他粒体状或いは粉体状のものに混入した紐状或いは糸状の異物を除去する穀物等中の紐類除去装置に関する。
【背景技術】
【０００２】
大豆、小麦等の穀物等は栽培地でコンバイン等の収穫機械で収穫され、麻袋やナイロン袋等に袋詰めされた後、袋詰め状態で貨物船等まで運搬される。麻袋に梱包された穀物等を貨物船の船倉に移し変える際には、麻袋の口を結束している紐を刃物等で切って袋口を開放されるが、切断した紐や袋の断片等が穀物中に混入する場合があった。穀物に紐類が混入すると、例えば、貨物船から荷揚げしたり搬送機でサイロ等まで穀物を搬送する際に、バケットコンベアやチェーンコンベア、アンローダ等の装置の回転軸やチェーン、ローラ、ガイドレール等の部材に紐類が巻きついてしまい、装置の停止、故障又は火災等が生じるおそれがある。したがって、搬送機を停止させてこまめに人手で点検及び紐類の除去作業が必要であり、煩雑で労力がかかるとともに作業効率が悪かった。
【０００３】
一方、特許文献１には、穀物等のばら荷中に混入したひも等を分離除去する装置が提案されている。特許文献１添付図面の図１、図２に示すように、第１実施形態に係るひも類除去機は、ダクトに軸支された２本の横方向主軸と、同主軸に一端が固着され他端が下流方向へ延びるほぼ長方形の案内板と、同案内板に両端が軸支され同主軸と平行的に延びる軸に放射状に突設された糸取針とを具えており、２本の主軸を揺動しながらばら荷中に混入したひも類を糸取針に引掛けて除去するものであった。また、特許文献１添付図面の図３に示すように、第２実施形態に係るひも類除去機では、ダクトに軸支された主軸と、同主軸に放射状に突設された複数の糸取腕とを具えた糸取機を、斜め上方、斜め下方の１対設置しており、下方側の糸取機を低速で回動して穀物等に混入したひも類を引掛けて除去し、該糸取腕に引掛かったひも類は上方の糸取機の糸取腕により受け取らせて、外部に取り出すものであった。
【先行技術文献】
【特許文献】
【０００４】
【特許文献１】特開平６−２５４５０４号公報
【発明の概要】
【発明が解決しようとする課題】
【０００５】
しかしながら、特許文献１の第１実施形態のひも類除去機の構成では、糸取針に引っ掛けたひも類を外部に取り除く際には、装置を停止してダクト内で作業する必要があるから、取り外したひも類がダクト内に落下して下流の搬送機にひも類が混入してしまうおそれがあった。また、いちいち機械を停止する必要があるので作業能率が劣るものであった。さらに、主軸に支持された案内板がダクト内通路を妨げるように配置されるので、穀物の流れの邪魔になり穀物が滞留しやすく効率が低下するとともに、案内板が外側に揺動した際には滞留していた穀物が一気に落下して混入しているひも類も一緒に落下し、搬送機側に流れてしまうためひも類の除去機能の確実性が低い問題があった。また、２本の主軸を個別に駆動装置で駆動させているので構造及び制御が複雑化していた。特許文献１の第２実施形態のひも類除去機の構成では、下方側の糸取機の糸取腕から上方側への糸取機へのひも類の受け渡しは、互いの糸取腕のすれ違いだけで行うものであるので、確実性は極めて低いおそれがあった。よって、下方側の糸取腕にひも類が引っ掛かったままとなる場合があり、装置を停止してダクト内でひも類を取り外す作業が必要であった。したがって、上記同様に取り外したひも類がダクト内に落下して下流の搬送機内に混入してしまうおそれがあるとともに、いちいち機械を停止する必要があるので作業能率が劣るとともに、糸取腕による紐類の除去能力も低く、実用性に劣っていた。
【０００６】
本発明は上記従来の課題に鑑みてなされたものであり、その一つの目的は、穀物等から除去した紐類が再び混入することがなく紐取り具を外部へ簡単に取り出して処理することができるとともに、連続的にかつ確実に穀物等に混入した紐類の除去を行え、作業効率を向上しうる穀物等の紐類除去装置を提供することにある。
【課題を解決するための手段】
【０００７】
上記課題を解決するために本発明は、内部に穀物等Ｍを流す流路１８を有するダクト１２と、ダクト内流路１８においてダクト長手方向Ｘに直交する回転軸３４回りに回転する回転基体１４と、回転基体１４の周方向位置に離隔して取り付けられる複数の紐取り具１６と、を含み、それぞれの紐取り具１６は回転基体１４に対して着脱可能に設けられ、ダクト側壁の一つの面２０ａの回転基体１４近傍部分には、外部から紐取り具１６を着脱交換操作するための開口２６が設けられており、それぞれの紐取り具１６を、穀物等Ｍの流れの中に配置させて紐類Ｓｔを捕獲する位置（Ｐ１）と、開口２６近傍に配置させて着脱交換される位置（Ｐ２）と、を通過移動させるように回転基体１４を回転することを特徴とする穀物等中の紐類除去装置１０から構成される。２つ以上の複数の紐類除去装置１０を直列状に接続してもよく、紐類の除去をより確実に行なうことができる。また、ダクト側壁の開口２６には、ゴミや雨等が入るのを防止するように、開閉蓋で開閉自在に閉鎖するようにするとよい。
【０００８】
また、回転基体１４は、前記開口２６を介してダクト１２内から着脱操作されるように設けられたこととしてもよい。
【０００９】
また、回転基体１４は、回転軸３４と、回転軸３４の長手方向両端側に対向して離隔配置され半径方向に突出拡大された２個１対の側端部材３６と、からなり、それぞれの紐取り具１６は、１対の側端部材３６に跨って回転軸３４と平行状に架設される中心軸４２を有し、複数の紐取り具１６と回転基体１４とが籠型構造に組付け構成されたこととしてもよい。
【００１０】
また、各側端部材３６は、複数の紐取り具１６の取付位置に対応して外側から内側に向けて切り込み凹設され、それぞれの紐取り具１６の中心軸４２の端部を嵌合状に受け入れる複数の受凹部３８と、受凹部３８内に紐取り具の中心軸４２を受け入れた状態でロック・解除可能にロックするロック機構４０と、を備えたこととしてもよい。
【００１１】
また、ダクト１２は、開口２６が形成された側壁２０aが外部側に膨出され、膨出部分の内部に流路１８に連通する拡張空間２２が設けられており、回転基体１４は流路１８と拡張空間２２に跨るように設置されて開口２６に近接配置され、開口２６には開閉蓋２８が設けられたこととしてもよい。
【００１２】
また、回転基体１４を回転軸３４回りに回転駆動させる駆動機構４８を含み、駆動機構４８は、任意の時間間隔で回転基体１４を所定角度θだけ回転変位させ、その回転変位位置を保持することとしてもよい。
【００１３】
また、紐取り具１６は、中心軸４２と、中心軸長手方向に複数配置された枝杆４４と、枝杆４４から突出して設けられて紐類Ｓｔを捕獲する多数の小突起４６と、を備えたこととしてもよい。紐取り具１６は、中心軸回りに回転させるようにしてもよい。この際、紐取り具１６の中心軸４２回りの回転は、モータ等の駆動装置を利用したり、穀物等の流れにより自在に回転するようにしてもよい。
【発明の効果】
【００１４】
本発明の穀物等中の紐類除去装置によれば、内部に穀物等を流す流路を有するダクトと、ダクト内流路においてダクト長手方向に直交する回転軸回りに回転する回転基体と、回転基体の周方向位置に離隔して取り付けられる複数の紐取り具と、を含み、それぞれの紐取り具は回転基体に対して着脱可能に設けられ、ダクト側壁の一つの面の回転基体近傍部分には、外部から紐取り具を着脱交換操作するための開口が設けられており、それぞれの紐取り具を、穀物等の流れの中に配置させて紐類を捕獲する位置と、開口近傍に配置させて着脱交換される位置と、を通過移動させるように回転基体を回転することから、複数の紐取り具のうち、一部の紐取り具は穀物の流れの中に配置されて穀物等に混入した紐類を捕獲するとともに、他の一部の紐取り具については開口近傍に配置されて該開口を介してダクトの外部から着脱交換操作を行えるうえ、回転基体を回転させることでそれらの紐取り具の位置を交代させながら長期的に紐類の除去を行うことができる。特に、開口を介して紐取り具をダクトの外側に取り出すことができるので、該紐取り具から捕獲した紐類を取り除く際にはダクト外部で作業を行うことができる結果、紐取り具から取り外した紐類が穀物等に再び混入したり、接続される穀物搬送機等の装置内等に入るのを確実に防止できる。同時に、紐取り具の着脱交換作業の際にも、一部の紐取り具を穀物等の流れの中に配置させて紐類の捕獲を行えるので、連続的に紐類の除去を行うことができ、使い勝手がよく、作業能率を向上しうる。また、構造を大幅に複雑化することなく装置を製造することができる。
【００１５】
また、回転基体は、前記開口を介してダクト内から着脱操作されるように設けられた構成とすることにより、紐類の除去を不要とする場合には、装置全体を取り外す必要がなく、回転基体を取り外すだけで通常のダクトとして穀物等を流すことができる。さらに、回転基体をダクトから取り外して、清掃、メンテナンス等を行うことができる。
【００１６】
また、回転基体は、回転軸と、回転軸の長手方向両端側に対向して離隔配置され半径方向に突出拡大された２個１対の側端部材と、からなり、それぞれの紐取り具は、１対の側端部材に跨って回転軸と平行状に架設される中心軸を有し、複数の紐取り具と回転基体とが籠型構造に組付け構成されたことから、それぞれの紐取り具がダクト流路に対して略直交状に配置されるので、該紐取り具による紐類の除去機能の確実性を向上しうる。同時に、複数の紐取り具を取り付けた回転基体は籠型構造に組みつけられるので、ダクト内流路で穀物等の流れを比較的妨げにくく、流路中に穀物等を詰まらせることなくスムーズに流しながら紐類の除去を行なえる。
【００１７】
また、各側端部材は、複数の紐取り具の取付位置に対応して外側から内側に向けて切り込み凹設され、それぞれの紐取り具の中心軸の端部を嵌合状に受け入れる複数の受凹部と、受凹部内に紐取り具の中心軸を受け入れた状態でロック・解除可能にロックするロック機構と、を備えた構成とすることにより、受凹部の開口から紐取り具の中心軸の挿脱操作を簡単に行えるとともに、ロック機構によりロック・解除を切り替えしながら簡単に紐取り具の着脱交換操作を行うことができる。また、簡単な構造で回転基体に対する紐取り具の着脱交換構造を実現できる。
【００１８】
また、ダクトは、開口が形成された側壁が外部側に膨出され、膨出部分の内部に流路に連通する拡張空間が設けられており、回転基体は流路と拡張空間に跨るように設置されて開口に近接配置され、開口には開閉蓋が設けられた構成とすることにより、ダクトの外部側に膨出させた部分に対応して回転基体を配置させているので、ダクト外側から内部の紐取り具の着脱交換作業をスムーズに行いやすい。また、開閉蓋により開口を閉鎖できるので、ダクト内にゴミ、異物、雨水等が入るのを防止できる。
【００１９】
また、回転基体を回転軸回りに回転駆動させる駆動機構を含み、駆動機構は、任意の時間間隔で回転基体を所定角度だけ回転変位させ、その回転変位位置を保持する構成とすることにより、駆動機構により回転基体の回転駆動を楽に行えるとともに、回転基体を所定時間停止させておくので、各紐取り具による紐類の除去の確実性が高いとともに、開口から紐取り具の着脱交換操作する際の確実性及び安全性も高い。
【００２０】
また、紐取り具は、中心軸と、中心軸長手方向に複数配置された枝杆と、枝杆から突出して設けられて紐類を捕獲する多数の小突起と、を備えた構成とすることにより、中心軸回りに回転する枝杆に小突起を設けたことで、穀物等の中の紐類を捕獲しやすいとともに、一旦捕獲した紐類を離脱させにくく、紐類の除去機能の確実性を向上しうる。
【図面の簡単な説明】
【００２１】
【図１】本発明の一実施形態に係る穀物等中の紐類除去装置の縦断面説明図である。
【図２】図１の穀物等中の紐類除去装置を穀物搬送機に取り付けた概略説明図である。
【図３】図１のＡ−Ａ線断面の説明図である。
【図４】図１のＢ−Ｂ線断面の説明図である。
【図５】図１の穀物等中の紐類除去装置の紐取り具の着脱交換操作の作用説明図である。
【図６】図５の要部拡大図であって紐取り具を離脱した状態を示す説明図である。
【図７】図１の回転基体を離脱した状態の説明図である。
【発明を実施するための形態】
【００２２】
以下添付図面を参照しつつ本発明の穀物等中の紐類除去装置の実施形態について説明する。本発明に係る穀物等中の紐類除去装置は、穀物等をダクト内流路に流しながら該穀物等に混入された紐類の除去を行うものである。図１ないし図７は、本発明の穀物等中の紐類除去装置の一実施形態を示している。図１、図２、図３に示すように、本実施形態において、穀物等中の紐類除去装置１０は、ダクト１２と、ダクト１２内に設置された回転基体１４と、回転基体１４に取り付けられる複数の紐取り具１６と、を備えている。本実施形態では、穀物等中の紐類除去装置１０は、例えば、チェーンコンベア等の穀物等を搬送する穀物搬送機１００の投入シュート１０２の上流側に接続されており、穀物搬送機１００内に穀物等が投入される前に該穀物等に混入している紐類Ｓｔを除去する。なお、紐類除去装置１０は、本実施形態のような穀物搬送機１００に限らず種々のものに適用しても良い。
【００２３】
図１、図２、図３に示すように、例えば、ダクト１２は内部に穀物Ｍ等を流す一方向（Ｘ）に長い流路１８を有している。本実施形態では、ダクト１２は、長手方向Ｘの両端を開口２１し、該対向する開口２１を内部連通するように上下左右を側壁２０ａ〜２０ｄで囲んで断面矩形状の流路１８が形成されている。ダクト１２は、例えば、流路１８を斜めに傾斜した状態で配置され、斜め下方側の一端側を穀物搬送機１００の投入シュータ１０２に接続して内部を連通させている。ダクト１２の斜め上方側が穀物等の投入口とされる。ダクト１２内に投入された穀物Ｍは斜めに傾斜した該流路１８内の下側壁２０ｂ上を流れ落ちて投入シュータ１０２の開口から搬送機１００内へ投入される。ダクト１２の長手方向両端側の開口２１縁には外側に広がったフランジ２３が設けられており、フランジ２３を介して投入シュータ１０２等にボルト等で固定される。ダクト１２は、搬送機の投入シュータ１０２に着脱可能に接続されており、不要時には取り外すことができる。なお、ダクト１２は、穀物搬送機１００に設けられている既設の投入シュータのダクト等を利用してもよい。
【００２４】
図１、図７に示すように、ダクト１２の上側壁２０ａの中間部分は、外部側に向けて円弧状に膨出するように形成されている。上側壁２０ａの膨出部分の内部側には、流路１８に連通した縦断面半円状の拡張空間２２が形成されている。拡張空間２２の左右側方を閉鎖するようにダクト１２の左右側壁２０ｃ、２０ｄは、上側壁２０ａの膨出形状に併せて円弧凸状に形成されている。さらに、図３に示すように、ダクト１２の左右側壁２０ｂ、２０ｄは、中間位置から左右側方外側に段状に広がって形成されている。ダクト１２の左右側壁２０ｃ、２０ｄの拡張空間２２の形成位置に対応した位置には、１対の軸受部２４が設けられている。
【００２５】
図５、図７に示すように、ダクト１２の上側壁２０ａの円弧状に膨出した部分には、上側壁２０ａを貫通するように操作用開口２６が開孔されている。この操作用開口２６を介してダクト１２の外側から内部に手を入れて、種々の作業を行えるようになっている。操作用開口２６は、上側壁の円弧状の膨出した部分に比較的広い面積で形成されている。図１にも示すように、操作用開口２６は、円弧板状の開閉蓋２８で開閉自在に閉鎖されている。開閉蓋２８によって通常時は操作用開口２６を閉鎖してダクト内に異物やゴミ又は雨水等が入るのを防止する。開閉蓋２６は、例えば、円弧状の一端部側が上側壁２０ａの開口縁に蝶番３０で枢支連結され、他端側を自由端側として開閉する。開閉蓋２６の自由端側は、固定手段３１を介して閉鎖状態で固定されるようになっている。固定手段３１としては、例えば、開閉蓋２８の端部と側壁２０ａとの重なり部分を貫通する蝶ボルト３２と、上側壁２０ａの操作用開口２６縁側に固定されたナット３３と、を含む。蝶ボルト３２を手操作で着脱して、ボルト締結により閉鎖保持状態と、開閉自在な状態と、を変更できる。なお、開閉蓋の構造は、例えば、スライド式に開閉する構造、観音開き式に開閉する構造又は側壁に対して着脱させて開閉する構造等その他任意の構造でもよい。
【００２６】
図１、図３、図４に示すように、回転基体１４は、ダクト内流路１８においてダクト１２の上側壁２０ａに設けられた操作用開口２６に近傍する位置に、ダクト長手方向Ｘに直交する回転軸３４回りに回転するように構成されている。回転基体１４は、複数の紐取り具１６を回転軸３４から半径方向に離隔した位置に所定の配列で取り付けるとともに、それらの紐取り具１６の配置位置を回転軸３４回りに回転変位させる回転式の取付手段である。回転基体１４は、例えば、ダクト１２の左右側壁２０ｃ、２０ｄに設けられた軸受部２４に両端を支持される回転軸３４と、該回転軸３４の両端側に配置された２個１対の側端部材３６と、からなる。
【００２７】
回転軸３４は、図７に示すように、軸受部２４に対して着脱可能に設けられており、回転基体１４全体が操作用開口２６を介してダクト１２内から着脱操作できるようになっている。図１、図３に示すように、１対の側端部材３６は、例えば、それぞれ回転軸３４の両端から半径方向に突出拡大して形成される円盤状部材からなる。円盤状の側端部材３６は、その円盤平面を互い対向させつつ、流路１８方向に沿って配置されるとともに、左右側壁２０ｃ、２０ｄの段状に広がった部分に流路１８から退避状に配置されている。１対の側端部材３６と回転軸３４とは略バーベル状に組み付けて構成されている。さらに、各々の側端部材３６は、円盤状部材の略半円部が流路１８側に配置されて円弧部分が下側壁２０ｄに近接されているとともに、残りの略半円部が拡張空間２２側に配置されて他の円弧部分を操作用開口２６に近接させている。したがって、回転基体１４は、ダクト１２の長手方向Ｘ中間位置の拡張空間２２が形成された位置であって、該拡張空間２２と流路１８とに跨るように配置されている。
【００２８】
図５、図６に示すように、各側端部材３６には、後述のような紐取り具１６の配置位置に対応するように、円周縁側から内側に切込み凹設される８個の受凹部３８が等間隔位置で円形状に配列して設けられている。さらに、それぞれの受凹部３８に対応して、該受凹部３８の切込み開口側を開閉可能に閉鎖するとともに、該閉鎖状態でロック・解除可能なロック機構４０が設けられている。ロック機構４０は、例えば、軸周りに転動するロック部材４０ａと、ロック部材を受凹部３８のロック位置で自由端部を固定状にロックする固定部４０ｂと、を有する留め金装置からなる。この受凹部３８とロック機構４０は、紐取り具１６を着脱可能に取り付ける着脱部４１を構成する。なお、側端部材３６は、円盤部材に限らず、例えば、六角形や八角形状等その他多角形状又は任意形状の平板部材でもよく、又は枠部材等その他任意の構成でもよい。側端部材３６は紐取り具１６を着脱可能に取り付ける着脱部を有するとよい。また、回転基体１４は、操作用開口２６から着脱操作できる構成に限らず、例えば、ダクト側壁の一部分に別の開閉部分を設けて該開閉部分から回転基体１４を着脱操作したり、またはダクト端部の開口２１よりも回転基体を小さく形成して該端部の開口２１から回転基体１４を着脱操作するようにしてもよく、ダクトに軸周り回転可能に固定的に軸支されていてもよい。
【００２９】
図１、図３、図４に示すように、紐取り具１６は、穀物等Ｍの流れの中に配置された状態で該穀物等に混入された紐類Ｓｔを捕獲する紐類捕獲手段である。そして、複数の紐取り具１６が回転軸３４回りに回転する回転基体１４の周方向位置に離隔して取り付けられている。各紐取り具１６は、回転基体１４に対して着脱部４１を介して着脱交換可能に取り付けられている。本実施形態では、８個の紐取り具１６が回転軸３４から半径方向に等距離に離隔した位置に、該回転軸を中心とした円形状に等間隔で配列されている。すなわち、８個の紐取り具１６は、正八角形の頂点位置に対応した配置位置となっており、隣接する任意の紐取り具１６と回転軸３４とを結んだ２本の線分で形成される角度θは４５度の角度となっている。したがって、回転基体１４を中心軸３４回りに４５度回転すると、それぞれの紐取り具１６が隣接の配置位置に一致するようになっている。なお、紐取り具１６の個数は任意でもよい。
【００３０】
図４、図６に示すように、それぞれの紐取り具１６は、中心軸４２と、中心軸４２長手方向に設けられた複数の枝杆４４と、枝杆４４から突出した多数の小突起４６と、を有している。なお、図１、図５、図７では小突起を省略して描いている。紐取り具１６は、中心軸４２により回転基体１４の１対の側端部材３６に跨って回転軸３４と平行状に架設されている。そして、８個の紐取り具１６と回転基体１４とは中空円筒状の籠型構造に組み付け構成されている。
【００３１】
図５、図６に示すように、中心軸４２は、両端部を１対の側端部材３６に設けられた受凹部３８内に切込み開口から挿入され、嵌合状に受け入れられる。そして、中心軸４２は、受凹部３８内に嵌合状に受け入れられた状態でロック機構４０によりロックされると受凹部３８からの離脱が規制されて、回転基体１４に位置固定状態で取り付けられる。この回転基体１４への取付状態で中心軸４２は軸回りに回転自在となっており、紐取り具１６は穀物等の流れの中に配置されると、穀物等の流れで中心軸４２回りに回転する（図１参照）。ロック機構４０のロックを解除すると中心軸４２を受凹部３８から自在に挿脱することができ、回転基体１４に対して紐取り具１６を着脱交換操作することができる。枝杆４４は、中心軸４２長手方向に交差方向又は放射方向に突出するように形成されている。枝杆４４は、例えば、直杆部材からなり、直杆部材の長手方向を中心軸４２に対して直交させながら、該直杆部材の長手方向中間位置を中心軸４２に固定されている。複数の枝杆４４は、例えば、中心軸長手方向には互いに離隔して配置されるとともに、中心軸方向に見た際に井桁状に組み付けられるようにそれぞれの長手方向の中心軸回りの向きを異ならせて配置されている。各枝杆４４の長さは、例えば、他の紐取り具に接触しない程度の長さに設定されている。小突起４６は、例えば、金属ワイヤの素線をばらけさせて多数の素線端部を毛羽立ち状に外部に突出させるように加工したものからなり、該加工金属ワイヤを枝杆４４に固定させて形成されている。多数の小突起４６により、枝杆４４が麻紐やビニル紐等の紐類を捕獲しやすいとともに、捕獲した紐類を離脱させにくく、確実性及び捕獲効率を大幅に向上しうる。なお、小突起４６は、金属ワイヤを加工したものに限らず、例えば、有刺鉄線を枝杆４４に固定した構造や、枝杆４４に一体的に紐類に突き刺さる棘状の小突起を形成した構造や、返し状に形成した構造等、その他任意の構造でもよい。
【００３２】
図１、図５に示すように、複数の紐取り具１６が回転基体１４の周方向位置に円形状に配列されて取り付けられているので、１個又は数個の紐取り具１６は流路１８内の穀物等が流れるダクト下側壁２０ｄ内面に近接した位置に配置されると同時に、他の数個の紐取り具１６は操作用開口２６に近傍した位置に配置される。よって、複数の紐取り具のうち、一部の紐取り具１６は穀物Ｍの流れの中に配置されて穀物等に混入した紐類Ｓｔを捕獲するとともに、操作用開口２６近傍に配置される紐取り具１６については該操作用開口２６を介してダクト１２の外部から着脱交換操作を行なうことができるようになっている。なお、本実施形態では、３つの紐取り具１６が操作用開口２６近傍に配置されるようになっているとともに、穀物Ｍの流れる量に応じて１個ないし３個の紐取り具１６が穀物の流れの中に配置される。さらに、回転基体１４を回転軸３４回りに回転させると、それぞれの紐取り具１６が、穀物等の流れの中に配置させて紐類を捕獲する位置（紐類捕獲位置）Ｐ１と、操作用開口２６近傍に配置させて着脱交換される位置（着脱交換位置）Ｐ２と、を通過移動するように各紐取り具１６の位置が変位される。これにより、いずれかの紐取り具が常に穀物の流れの中に配置されるとともに、それらを交代させながら、連続的かつ長期的に紐類の除去を行うことができる。そして、紐類捕獲位置Ｐ１で紐類を捕獲した紐取り具１６は着脱交換位置Ｐ２に移動されて、操作用開口２６を介して新しい紐取り具に交換することができる。この着脱交換作業は他の紐取り具により紐類の捕獲を行いながら行えるので、装置を止めることなく連続的に紐類の除去を行うことができるので使い勝手がよく、効率を向上できる。また、紐類を捕獲した紐取り具１６は、ダクト外部で該紐取り具からの紐類の取外し作業を行えるので、紐類を再び穀物中に混入させるおそれがない。
【００３３】
図３に示すように、本実施形態では、回転基体１４を回転軸３４回りに回転駆動する駆動機構４８が設けられている。駆動機構４８は、ダクト１２の外部に配置されており、ダクト１２内に配置される回転基体１４の回転軸３４に１つの軸受部２４を介して外側から連係して回転駆動させる。駆動装置４８は、例えば、駆動モータ５０と、駆動モータ５０に接続された駆動スプロケット５２と、出力軸が軸受部２４に連係する従動スプロケット５４と、駆動スプロケット５２と従動スプロケット５４とに掛け渡される無端のチェーン５６と、を有している。従動スプロケット５４の出力軸５４ａは、ダクト側壁２０ｄの外部から内部の軸受部２４に支持される回転軸３４に連係されて該回転軸３４に回転駆動力を伝達する。本実施形態では、駆動装置４８は、例えば、制御部５８により駆動モータ５０の停止、回転駆動を制御されている。駆動機構４８は、例えば、常時は回転基体１４が回転しないように位置を保持しつつ、制御部５８により時間を計時している。そして、１時間間隔ごとに駆動して回転基体１４を回転軸３４回りに左回りに４５度だけ回転変位させて紐取り具１６の配置位置を変位させ、その後その回転変位で位置を保持する。同様に、所定時間間隔での回転基体１４の停止、回転駆動を繰り返しながら、複数の紐取り具１６を紐類捕獲位置Ｐ１と、着脱交換位置Ｐ２と、に位置保持及び通過移動させる。なお、回転基体１４を回転変位させる時間間隔及び回転角度は任意でよい。例えば、紐類の混入量が多い場合には、時間間隔を３０分程度に短くしても良いし、紐類の混入量が少ない場合には２時間程度に比較的長く設定してもよく、穀物等の条件等に応じて適宜設定すると良い。また、例えば、回転基体１４を９０度ずつ又は１３５度ずつ回転変位させてもよい。また、例えば、回転基体に６個の紐取り具を取り付ける構成の際には、６０度ずつ回転変位させる等、回転基体に取り付けた紐取り具の個数や配置間隔等の条件などに応じて適宜設定すると良い。また、駆動機構４８は、任意の時間間隔で所定角度だけ回転させる場合に限らず、例えば、低速で連続的に回転するように設定してもよい。
【００３４】
次に、本実施形態に係る穀物等中の紐類除去装置１０の作用について説明する。例えば、回転基体１４を回転させず停止させた状態で保持しておく。ダクト内流路１８に紐類Ｓｔが混入された穀物Ｍを流すと、８個の紐取り具１６のうち、ダクト１２の下側壁２０ｂに近接している紐類捕獲位置Ｐ１に配置された１個ないし３個の紐取り具１６が穀物等の流れにより中心軸４２回りに回転しながら混入された紐類Ｓｔを捕獲する。紐取り具１６は、多数の小突起４６が設けられた複数の枝杆４４を有しているので、紐類を捕獲しやすいとともに、一旦捕獲した紐類を離脱させることもなく、確実に穀物等の中から紐類を除去することができる。そして、例えば、１時間経過した後に、駆動機構４８により回転基体１４を回転軸３４回りに４５度だけ回転変位させて、その回転変位位置で保持させる。同様に、１時間間隔で回転基体１４を４５度ずつ回転駆動させていくと、数時間後には、紐類捕獲位置Ｐ１にて紐類を捕獲した紐取り具１６が操作用開口２６近傍に移動して着脱交換位置Ｐ２に配置される。図５に示すように、開閉蓋２８を開いて、操作用開口２６から手を入れてロック機構４０を解除し、該紐類を捕獲した紐取り具１６を回転基体１４から離脱させる。そして、紐類が付着していない新しい紐取り具１６を回転基体１４に装着させて、ロック機構４０によりロックする。紐取り具１６の着脱交換操作は、操作用開口２６を介してダクト外部から作業を行えるとともに、回転基体１４が回転停止された状態で行なえるので、安全に、簡単に、かつスムーズに行うことができる。さらに、紐取り具１６の着脱交換作業を行なう際も、紐類捕獲位置Ｐ１に配置された紐取り具１６により紐類の除去を行えるので、装置を止めなくても連続的に作業を行えて効率が良い。また、紐類を捕獲した紐取り具１６は、ダクト外部で該紐取り具からの紐類の取外し作業を行えるので、紐類を再び穀物中に混入させるおそれがなく、実用的である。なお、着脱交換する紐取り具１６は、取り外した紐取り具１６とは別の紐取り具を装着してもよいし、取り外した同一の紐取り具から紐類を取り除いて再び装着してもよい。このように、定期的に紐取り具１６の着脱交換を行ないながら、連続的に穀物等から紐類を除去することができる。
【００３５】
以上説明した本発明の穀物等中の紐類除去装置は、上記した実施形態のみの構成に限定されるものではなく、特許請求の範囲に記載した本発明の本質を逸脱しない範囲において、任意の改変を行ってもよい。
【産業上の利用可能性】
【００３６】
本発明の穀物等中の紐類除去装置は、例えば、米、小麦、大豆、トウモロコシ等の穀物その他粉状、粒状の物に混入した紐類を除去するのに利用できる。
【符号の説明】
【００３７】
１０    紐類除去装置
１２    ダクト
１４    回転基体
１６    紐取り具
１８    流路
２０ａ〜２０ｄ    側壁
２２    拡張空間
２６    操作用開口
２８    開閉蓋
３４    回転軸
３６    側端部材
３８    受凹部
４０    ロック機構
４２    中心軸
４４    枝杆
４６    小突起
４８    駆動装置
Ｘ    長手方向
Ｍ    穀物等
Ｓｔ    紐類
【図１】
2011025161.tif 000003
【図２】
2011025161.tif 000004
【図３】
2011025161.tif 000005
【図４】
2011025161.tif 000006
【図５】
2011025161.tif 000007
【図６】
2011025161.tif 000008
【図７】
2011025161.tif 000009